(57)【特許請求の範囲】
【請求項１】
号砲用の火薬を打撃・爆裂させて生じる爆発音によって有害動物を撃退させる有害動物の撃退装置であって、
地面に突き刺して設置できるように下端部が突き刺し部として設けられている長尺の基体と、
一端部によって前記火薬を打撃するように軸方向へ移動する棒状のプッシュロッドと、
該プッシュロッドを軸方向へ移動可能に案内するように前記基体に設けられたガイド部と、
前記基体に設けられて前記火薬が装填されると共に前記プッシュロッドによる前記火薬への打撃を受ける打撃受部と、
前記プッシュロッドに付勢力を与えて前記打撃受部へ打ち付けるように配されたスプリングと、
一方側に、前記プッシュロッドに設けられた被係止部に係止したときには前記スプリングを圧縮した状態で該プッシュロッドを保持し、前記被係止部への係止が解除されたときには前記スプリングによる前記プッシュロッドの打撃動作を許容するように係止部が設けられ、中途部で回動可能に前記基体に軸着されていると共に、他方側に有害動物が引っ掛かるように配される糸状材の装着部が設けられているリリースレバーと、
該リリースレバーを前記係止部が前記被係止部に係止する方向へ付勢するように配されると共に前記糸状材が引っ張られた際には該リリースレバーの回動を許容して前記係止部の前記被係止部への係止を解除できるように設けられたセットスプリングと、
少なくとも前記火薬が装填される部分を覆う外装部材とを具備することを特徴とする有害動物の撃退装置。
【請求項２】
前記打撃受部が前記基体の上端部に設けられ、前記プッシュロッドによって下方から前記火薬を打撃することを特徴とする請求項１記載の有害動物の撃退装置。
【請求項３】
前記打撃受部が、上部の被打撃部分と、該被打撃部分の下方に前記プッシュロッドの一端部の通過可能な透孔が設けられていると共に前記火薬が保持されるように設けられた受棚部分とを備えることを特徴とする請求項２記載の有害動物の撃退装置。
【請求項４】
前記火薬が、前記打撃受部に対して火薬皿に載せられて前記受棚部分に受けられて保持された状態で装填され、前記火薬皿を介して前記プッシュロッドによって打撃・爆裂されることを特徴とする請求項３記載の有害動物の撃退装置。
【請求項５】
前記基体が断面Ｌ字状の長尺部材で設けられて先端が尖った形状に形成されていることを特徴とする請求項１〜４のいずれかに記載の有害動物の撃退装置。
【発明の詳細な説明】
【技術分野】
【０００１】
この発明は、号砲用の火薬を打撃・爆裂させて生じる爆発音によって有害動物を撃退させる有害動物の撃退装置に関する。
【背景技術】
【０００２】
従来の有害動物の撃退装置としては、例えば、圧縮空気を利用して定期的に爆裂音を発生させて、鳥獣を威嚇する装置が利用されている。
この装置の場合は、鳥獣の行動とは因果関係がなく爆裂音が発生するもので、鳥獣が慣れてしまい、持続的な効果に乏しかった。また、定期的に爆音が繰り返されることから、騒音の問題もあった。
【０００３】
これに対して、上下方向に移動可能な落下部材である重りと、落下部材を確実に衝突面に落下衝突させるための移動をガイドするガイド部材と、該ガイド部材の下方側に衝突面を配設すると共に、該ガイド部材の上方側に、該落下部材を上方に保持する保持手段と、該保持手段の保持機能を解除するための解除手段を設け、解除手段の解除操作に起因して、前記落下部材を落下させて該衝突面に衝突させることにより、直接あるいは間接的に、音や匂いを発生させ、又衝突面あるいはガイド部材に音声発生装置を作動させるスイッチ部材を配置し、スイッチ入力により音声発生装置から音を発生させ効果的に有害獣出没の阻止撃退を図るものが提案されている（特許文献１参照）。
【先行技術文献】
【特許文献】
【０００４】
【特許文献１】特開２００５−１５１８２８号公報（第１頁）
【発明の概要】
【発明が解決しようとする課題】
【０００５】
有害動物の撃退装置に関して解決しようとする問題点は、先行技術のような有害動物の撃退装置のように落下部材を衝突する方法では、発生する音を十分に大きくすることが難しく、音声発生装置を利用する場合では装置が複雑化して高価になることにある。さらに、従来は、号砲用の火薬の爆発音を利用した合理的な構造の有害動物の撃退装置が開発されておらず、より効果的に有害動物を撃退できない点にある。
そこで、本発明の目的は、号砲用の火薬を打撃・爆裂させて大きな爆音と火薬の硝煙を発生させることで有害動物を効果的に撃退できる合理的な構造の有害動物の撃退装置を提供することにある。
【課題を解決するための手段】
【０００６】
本発明は、上記目的を達成するために次の構成を備える。
本発明にかかる有害動物の撃退装置の一形態によれば、号砲用の火薬を打撃・爆裂させて生じる爆発音によって有害動物を撃退させる有害動物の撃退装置であって、地面に突き刺して設置できるように下端部が突き刺し部として設けられている長尺の基体と、一端部によって前記火薬を打撃するように軸方向へ移動する棒状のプッシュロッドと、該プッシュロッドを軸方向へ移動可能に案内するように前記基体に設けられたガイド部と、前記基体に設けられて前記火薬が装填されると共に前記プッシュロッドによる前記火薬への打撃を受ける打撃受部と、前記プッシュロッドに付勢力を与えて前記打撃受部へ打ち付けるように配されたスプリングと、一方側に、前記プッシュロッドに設けられた被係止部に係止したときには前記スプリングを圧縮した状態で該プッシュロッドを保持し、前記被係止部への係止が解除されたときには前記スプリングによる前記プッシュロッドの打撃動作を許容するように係止部が設けられ、中途部で回動可能に前記基体に軸着されていると共に、他方側に有害動物が引っ掛かるように配される糸状材の装着部が設けられているリリースレバーと、該リリースレバーを前記係止部が前記被係止部に係止する方向へ付勢するように配されると共に前記糸状材が引っ張られた際には該リリースレバーの回動を許容して前記係止部の前記被係止部への係止を解除できるように設けられたセットスプリングと、少なくとも前記火薬が装填される部分を覆う外装部材とを具備する。
【０００７】
また、本発明にかかる有害動物の撃退装置の一形態によれば、前記打撃受部が前記基体の上端部に設けられ、前記プッシュロッドによって下方から前記火薬を打撃することを特徴とすることができる。
また、本発明にかかる有害動物の撃退装置の一形態によれば、前記打撃受部が、上部の被打撃部分と、該被打撃部分の下方に前記プッシュロッドの一端部の通過可能な透孔が設けられていると共に前記火薬が保持されるように設けられた受棚部分とを備えることを特徴とすることができる。
【０００８】
また、本発明にかかる有害動物の撃退装置の一形態によれば、前記火薬が、前記打撃受部に対して火薬皿に載せられて前記受棚部分に受けられて保持された状態で装填され、前記火薬皿を介して前記プッシュロッドによって打撃・爆裂されることを特徴とすることができる。
また、本発明にかかる有害動物の撃退装置の一形態によれば、前記基体が断面Ｌ字状の長尺部材で設けられて先端が尖った形状に形成されていることを特徴とすることができる。
【発明の効果】
【０００９】
本発明の有害動物の撃退装置によれば、合理的な構成によって号砲用の火薬を打撃・爆裂させて大きな爆音と火薬の硝煙を発生させることができ、有害動物を効果的に撃退できるという特別有利な効果を奏する。
【図面の簡単な説明】
【００１０】
【図１】本発明に係る有害動物の撃退装置の形態例を示す内部構造を透視して記載した斜視図である。
【図２】図１の形態例の外観を示す斜視図である。
【図３】図１の形態例において火薬をセットした状態を示す内部構造を透視して記載した斜視図である。
【図４】本発明に係る有害動物の撃退装置の作用効果を説明する説明図である。
【図５】本発明に係る有害動物の撃退装置の他の形態例を示す内部構造を透視して記載した斜視図である。
【発明を実施するための形態】
【００１１】
以下、本発明に係る有害動物の撃退装置の形態例を、添付図面（図１〜４）に基づいて詳細に説明する。
本発明に係る有害動物の撃退装置は、号砲用の火薬１０を打撃・爆裂させて生じる爆発音によって有害動物を撃退させるものである。なお、号砲用の火薬１０とは、スタートピストルに利用されるものや、おもちゃの火薬ピストルに利用されるもの、或いはそれに類似するものが含まれる。
【００１２】
１１は基体であり、地面に突き刺して設置できるように下端部が突き刺し部１１ａとして設けられ、全体的には長尺に形成されている。この基体１１は、対象となる有害動物が糸状材１５に接触しやすい高さとなるように、その長さを適宜設定すればよい。例えば、たぬきのような小動物では３５ｃｍ程度として、鹿のような比較的大きな動物では７０ｃｍ程度とすればよい。
【００１３】
本形態例の基体１１は、断面Ｌ字状の長尺部材で設けられており、先端（突き刺し部１１ａ）が尖った形状にカットされて形成されている。これによれば、地面に突き刺し易く、倒れにくく、しかも抜き易い利点があり、その設置と撤去を容易に行うことができる。また、形状がシンプルであり、製造コストを低減できると共に、筒状の外装部材の中に好適に挿入でき、以下に説明するような号砲用の火薬を打撃・爆裂させる機構を好適に内蔵できる。
【００１４】
２０はプッシュロッドであり、一端部２１によって火薬１０を打撃するように基体１１に沿って軸方向へ移動する棒状に設けられている。
本形態例のプッシュロッド２０では、現場に設置された状態で、一端部２１が上端部となるように設けられ、下端部にセットレバー２２が軸方向に直交する方向に延設された形状に設けられている。このセットレバー２２を図３に示すように下方へ下げることで、後述する被係止部２５に係止部６１が係止されて、プッシュロッド２０がセットされる。
【００１５】
３０はガイド部であり、プッシュロッド２０を軸方向へ移動可能に案内するように基体１１に設けられている。
本形態例のガイド部３０では、コの字状の板部材の両端板面３３、３３にプッシュロッド２０が挿通されて案内される貫通ガイド孔３１、３１が設けられている。このガイド部３０は、基体１１にスポット溶接などで容易且つ精度よく固定でき、安価に製造できる。なお、ガイド部３０の形態はこれに限定されず、図５に示す形態のように基体１１に形成されたスリットに板材を差し込んで固定した板面に貫通ガイド孔３１を設けて形成してもよいし、基体１１を構成する板部を折り曲げて形成した板面に貫通ガイド孔３１を設けて形成してもよい。
【００１６】
４０は打撃受部であり、基体１１に設けられて火薬１０が装填されると共にプッシュロッド２０による火薬１０への打撃を受けるように設けられている。
本形態例では、打撃受部４０が基体１１の上端部に設けられ、プッシュロッド２０によって下方から火薬１０を打撃するように設けられている。これによれば、水の浸入を防止する構造にしやすい利点がある。なお、打撃受部４０を本形態例より基体１１の下方側に設け、上方から火薬１０を重力の力を加えて打撃するように設けても火薬を好適に打撃・爆裂することができるなど、火薬１０を打撃する方向については使用条件等によって適切に設定すればよい。
【００１７】
また、本形態例の打撃受部４０は、上部の被打撃部分４１と、その被打撃部分の下方にプッシュロッド２０の一端部２１の通過可能な透孔４２ａが設けられていると共に火薬１０が保持されるように設けられた受棚部分４２とを備える。上部の被打撃部分４１は、基体１１を構成する板材を折り曲げて形成されている。また、受棚部分４２は、Ｌ字に折り曲げられた部品がスポット溶接などで固定されて設けられている。
これによれば、火薬１０を好適にセットして適切に爆裂させることができる。
また、上部の被打撃部分４１の中央には下方に突起した凸部４１ａが設けられている。この凸部４１ａによれば、プッシュロッド２０による打撃の力を集中して受けることができ、火薬１０を適切に爆裂させることができる形状になっている。
【００１８】
５０はスプリングであり、プッシュロッド２０に付勢力を与えて打撃受部４０へ打ち付けるように配されている。本形態例のスプリング５０は、つる巻きバネであり、その内部でプッシュロッド２０が軸方向（設置された状態では上下方向）に移動可能に挿通された状態に配されている。また、本形態例のスプリング５０は、上端がプッシュロッド２０にＣリングで固定されたワッシャー状の受部２３に受けられ、下端が基体１１に固定されているガイド部３０と兼用の受部（端板面３３）に受けられて、基体１１の長尺方向に沿って伸縮できるように配置されている。これによれば、長尺のスペース内に火薬１０を打撃する機構をコンパクト且つ好適に収納することができる。
なお、つる巻きバネに限定されず、例えばトーションバネなどの他の弾性手段を利用することも可能である。
【００１９】
６０はリリースレバーであり、一方側に、プッシュロッド２０に設けられた被係止部２５に係止したときにはスプリング５０を圧縮した状態でそのプッシュロッド２０を保持し、被係止部２５への係止が解除されたときにはスプリング５０によるプッシュロッド２０の打撃動作を許容するように係止部６１が設けられ、中途部６２で回動可能に基体１１に軸着されていると共に、他方側に有害動物が引っ掛かるように配される糸状材の装着部６３が設けられている。
なお、装着部６３では、糸状材１５を結び付けるなどして装着できればよく、図に示すように孔を設けてもよいし、フック状などに設けてもよい。
【００２０】
本形態例のプッシュロッド２０に設けられた被係止部２５は、プッシュロッド２０の中途部に溝状に形成されている。また、本形態例のリリースレバー６０は、略Ｌ字状に形成されている。これらの形態はこれに限定されるものではなく、例えば被係止部２５は、プッシュロッド２０の側周面から突起する形状など、係止関係が成立する形態であればよい。しかし、本形態例のように被係止部２５が溝状に形成されていることで、リリースレバー６０の係止部６１の回動範囲を本体のより中心付近に限定でき、そのリリースレバー６０をコンパクトに内蔵することができる。
【００２１】
７０はセットスプリングであり（図１又は図３に点線で記載）、リリースレバー６０を係止部６１が被係止部２５に係止する方向へ付勢するように配されると共に糸状材１５が引っ張られた際にはリリースレバー６０の回動を許容して係止部６１の被係止部２５への係止を解除できるように設けられている。
本形態例のセットスプリング７０は、トーションバネによって構成されており、一端が基体１１に係止・固定され、他端がリリースレバー６０の他方側に係止・固定されている。これによれば、セットスプリング７０が、コンパクト且つ適切に収納されている。
なお、セットスプリングは、これに限定されず、他の弾性手段を用いてもよい。
【００２２】
以上の構成によれば、リリースレバー６０が中途部６２を中心に回動されることによって作動する好適な引き金機構に設けられている。これによれば、糸状材１５に比較的弱い力が作用して引っ張られた場合でも、敏感且つ確実に作動して、プッシュロッド２０によって火薬を打撃して爆発させることができる。このため、有害動物の撃退について極めて効果的に利用できる。
【００２３】
８０は外装部材であり、少なくとも火薬１０が装填される部分を覆うように設けられている。これによれば、火薬１０の爆発する部分に水が浸入することを防止できる。
本形態例の外装部材８０は、外装筒８１とキャップ８２によって構成されている。そして、外装筒８１には、火薬１０を装填用の開口８１ａと、爆発音が透過するための多数の透孔８１ｂと、リリースレバー６０の動作のためのスリット開口８１ｃと、セットレバー２２の動作のためのスリット開口８１ｄとが設けられている。このような外装部材８０によれば、内部機構を適切に保護することができる。
【００２４】
また、本形態例では、火薬１０が、打撃受部４０に対して火薬皿９０に載せられて受棚部分４２に受けられて保持された状態で装填され、火薬皿９０を介してプッシュロッド２０によって打撃・爆裂されるように設けられている。
これによれば、火薬１０を、カートリッジ方式で容易に装填でき、簡単に使用することができる。なお、火薬１０は、防湿加工が施されたものを利用するとよい。
【００２５】
以上に説明した有害動物の撃退装置によれば、既に記載した効果の他に、以下の効果を奏することができる。
本発明にかかる有害動物の撃退装置では電源や動力の必要がないため、設置場所が限定されず、汎用性に富むものになっている。
また、恒常的な威嚇音を発生させるものと異なり、鳥獣に慣れが生じないため効果的であり、騒音の問題も少ないと共に、動物の動作に起因して威嚇音を発生できることから、鳥獣に限らず泥棒の侵入に対する防犯用としても効果があるものと考えられる。
さらに、火薬の爆発するエネルギーを利用して唐辛子粉などを飛散させることが可能であり、有害動物をより効果的に撃退できる。
【００２６】
次に図５に基づいて、有害動物の撃退装置の他の形態例について簡単に説明する。
本形態例は、以上に説明した形態例と同一の機能を有するものであるが、被打撃部分４１、受棚部分４２、ガイド部３０を構成する両端板面３３、３３のいずれの部分も、基体１１に形成されたスリットに板材を差し込んで固定することで形成されている。これによっても、有害動物の撃退装置を合理的に製造することができる。
【００２７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２８】
１０  火薬
１１  基体
１１ａ  先端
１５  糸状材
２０  プッシュロッド
２１  一端部
２２  セットレバー
２５  被係止部
３０  ガイド部
３１  貫通ガイド孔
４０  打撃受部
４１  被打撃部分
４２  受棚部分
４２ａ  透孔
５０  スプリング
６０  リリースレバー
６１  係止部
６２  中途部
６３  糸状材の装着部
７０  セットスプリング
８０  外装部材
８１  外装筒
８２  キャップ
９０  火薬皿
【図１】
0005388931.tif 000002
【図２】
0005388931.tif 000003
【図３】
0005388931.tif 000004
【図４】
0005388931.tif 000005
【図５】
0005388931.tif 000006